(57)【要約】【課題】広角端の画角は１０５°を超えることを確保したズームレンズにおいて、２倍以上のズーム比を実現し、広角端の焦点距離の３．７倍以上のバックフォーカスを有する広角レンズを提供すること。【解決手段】物体から順に、負の屈折力の第１レンズ群、正の屈折力の第２レンズ群、負の屈折力の第３レンズ群、正の屈折力の第４レンズ群を有し、各レンズ群を移動させて変倍を行い、群間の間隔と各群の焦点距離と群の合成群の焦点距離が以下の条件式を満たす広角ズームレンズ。条件式（１）1.03≦BFw/(Fnow＊Fw)≦1.2  但し、BFw:バックフォーカス  Fnow：広角端でのＦナンバー  Fw：広角端での光学全系の焦点距離【選択図】図１
2010249958.tif 000002
【特許請求の範囲】
【請求項１】
物体から順に、負の屈折力の第１レンズ群、正の屈折力の第２レンズ群、負の屈折力の第３レンズ群、正の屈折力の第４レンズ群を有し、各レンズ群を移動させて変倍を行い、群間の間隔と各群の焦点距離と群の合成群の焦点距離が以下の条件式を満たす広角ズームレンズ。
条件式（１）1.03 ≦  BFw/(Fnow＊Fw) ≦ 1.2
但し、
BFw ：バックフォーカス
Fnow：広角端でのＦナンバー
Fw  ：広角端での光学全系の焦点距離
【請求項２】
物体から順に、負の屈折力の第１レンズ群、正の屈折力の第２レンズ群、負の屈折力の第３レンズ群、正の屈折力の第４レンズ群を有し、各レンズ群を移動させて変倍を行い、群間の間隔と各群の焦点距離と群の合成群の焦点距離が以下の条件式を満たす広角ズームレンズ。
条件式（２）F23w／Fw    ≧  12
但し、
F23w：広角端での第2レンズ群と第3レンズ群の合成焦点距離
Fw  ：広角端での光学全系の焦点距離
【請求項３】
物体から順に、負の屈折力の第１レンズ群、正の屈折力の第２レンズ群、負の屈折力の第３レンズ群、正の屈折力の第４レンズ群を有し、各レンズ群を移動させて変倍を行い、群間の間隔と各群の焦点距離と群の合成群の焦点距離が以下の条件式を満たす広角ズームレンズ。
条件式（３）F234w／(D_12w) ≧  1.3
但し、
F234w：広角端での第２、３、４群の合成焦点距離
D12w ：無限遠での広角端の第１レンズ群と第２レンズ群の間隔
【請求項４】
さらに、条件式（２）を満たすことを特徴とする請求項１に記載の広角ズームレンズ。
【請求項５】
さらに、条件式（３）を満たすことを特徴とする請求項１又は２に記載の広角ズームレンズ。
【請求項６】
さらに、条件式（４）F234w／(D12w＊Fw) ≧  0.13
を満たすことを特徴とする請求項１ないし５のいずれか一項に記載の広角ズームレンズ。
但し、
F234w：広角端での第２、３、４群の合成焦点距離
D12w ：無限遠での広角端の第１レンズ群と第２レンズ群の間隔
Fw   ：広角端で光学全系の焦点距離
【請求項７】
さらに、条件式（５）  ｜F23w／F23t｜  ≧  2.0
を満たすことを特徴とする請求項１ないし６のいずれか一項に記載の広角ズームレンズ。
但し、
F23w：広角端で第2レンズ群と第3レンズ群の合成焦点距離
F23t：望遠端で第2レンズ群と第3レンズ群の合成焦点距離
【請求項８】
負の屈折力の第１レンズ群は、負の屈折力の第１レンズ群の前群レンズ群及び負の屈折力の第１レンズ群の後群レンズ群からなり、無限遠物体から近距離へのフォーカシングを前記第１レンズ群の後群レンズ群を物体側へ移動させることを特徴とする請求項１ないし７のいずれか一項に記載の広角ズームレンズ。
【発明の詳細な説明】
【技術分野】
【０００１】
本発明は、広角ズームレンズ、さらに詳しくは、画角１０５°、ズーム比２．２倍を超え、長いバックフォーカスを持つ一眼レフデジタルカメラ用の広角ズームレンズに関する。
【背景技術】
【０００２】
従来の一眼レフレックスカメラ用超広角ズームレンズとしては、物体側から像側へ順に、負の屈折力の第１レンズ群、正の屈折力の第２レンズ群、負の屈折力の第３レンズ群、正の屈折力の第４レンズ群を有し、広角端より望遠端へのズーミングに際し、前記第１レンズ群と第２レンズ群の間隔が減少し、前記第２レンズ群と第３レンズ群の間隔が増大し、前記第３レンズ群と第４レンズ群の間隔が減少するズームレンズであって、広角端におけるバックフォーカスをｂｆｗ、広角端における全系の焦点距離をｆｗ、第２レンズ群と第４レンズ群の焦点距離を各々ｆ２，ｆ４とするとき、
２．９＜ｂｆｗ／ｆｗ＜５．０
３．１＜ｆ４／ｆｗ＜４．５
０．１＜ｆｗ／ｆ２＜０．４２
なる条件を満足することを特徴とするズームレンズが提案されている（例えば、特許文献１参照）。
【先行技術文献】
【特許文献】
【０００３】
【特許文献１】特開２００６−０３９５３１号広報
【０００４】
これらの従来の広角ズームレンズは、負、正、負、正の屈折力を持つレンズ群からなる４群ズームレンズタイプである。特許文献１の従来の広角ズームレンズにおいては、広角端の画角が１０５°程度があり、前枠の有効径が小さく抑えることと長いバックフォーカスの利点を有しているが、しかしながら、２．２倍のズーム比実現し、広角端焦点距離の３．７倍以上のバックフォーカスの要望を満たすことが困難である。
【発明の概要】
【発明が解決しようとする課題】
【０００５】
本発明は従来の広角ズームレンズの上述した問題点に鑑みなされたものである。本発明は、広角端の画角は１０５°を超えることを確保したズームレンズにおいて、２倍以上のズーム比を実現し、広角端の焦点距離の３．７倍以上のバックフォーカスを有する広角レンズを提供することを目的とする。
【課題を解決するための手段】
【０００６】
第１発明は、
物体から順に、負の屈折力の第１レンズ群、正の屈折力の第２レンズ群、負の屈折力の第３レンズ群、正の屈折力の第４レンズ群を有し、各レンズ群を移動させて変倍を行い、群間の間隔と各群の焦点距離と群の合成群の焦点距離が以下の条件式を満たす広角ズームレンズ。
条件式（１）1.03 ≦  BFw/(Fnow＊Fw) ≦ 1.2
但し、
BFw ：バックフォーカス
Fnow：広角端でのＦナンバー
Fw  ：広角端での光学全系の焦点距離
である。
【０００７】
第２発明は、
物体から順に、負の屈折力の第１レンズ群、正の屈折力の第２レンズ群、負の屈折力の第３レンズ群、正の屈折力の第４レンズ群を有し、各レンズ群を移動させて変倍を行い、群間の間隔と各群の焦点距離と群の合成群の焦点距離が以下の条件式を満たす広角ズームレンズ。
条件式（２）F23w／Fw    ≧  12
但し、
F23w：広角端での第2レンズ群と第3レンズ群の合成焦点距離
Fw  ：広角端での光学全系の焦点距離
である。
【０００８】
第３発明は、
物体から順に、負の屈折力の第１レンズ群、正の屈折力の第２レンズ群、負の屈折力の第３レンズ群、正の屈折力の第４レンズ群を有し、各レンズ群を移動させて変倍を行い、群間の間隔と各群の焦点距離と群の合成群の焦点距離が以下の条件式を満たす広角ズームレンズ。
条件式（３）F234w／(D12w) ≧  1.3
但し、
F234w：広角端での第２、３、４群の合成焦点距離
D12w ：無限遠での広角端の第１レンズ群と第２レンズ群の間隔
である。
【０００９】
本発明の実施態様は、以下のとおりである。
第１発明において、さらに、条件式（２）を満たすことを特徴とする。
【００１０】
第１発明及び第２発明において、さらに、条件式（３）を満たすことを特徴とする。
【００１１】
さらに、条件式（４）F234w／(D12w＊Fw) ≧  0.13
を満たすことを特徴とする。
但し、
F234w：広角端での第２、３、４群の合成焦点距離
D12w ：無限遠での広角端の第１レンズ群と第２レンズ群の間隔
Fw   ：広角端での光学全系の焦点距離
【００１２】
さらに、条件式（５）  ｜F23w／F23t｜  ≧  2.0
を満たすことを特徴とする。
但し、
F23w：広角端で第2レンズ群と第3レンズ群の合成焦点距離
F23t：望遠端で第2レンズ群と第3レンズ群の合成焦点距離
【００１３】
負の屈折力の第１レンズ群は、負の屈折力の第１レンズ群の前群レンズ群及び負の屈折力の第１レンズ群の後群レンズ群からなり、無限遠物体から近距離へのフォーカシングを前記第１レンズ群の後群レンズ群を物体側へ移動させることを特徴とする。
【００１４】
（発明の条件式の説明）
条件式（１）は、バックフォーカスと広角端でのＦナンバーの関係を規定する。条件式（１）の上限を超えると、球面収差、非点収差等が発生する。条件式（１）の下限を超えると、バックフォーカス、画角、明るさ等のバランスをとることが困難になる。
条件式（１）を、1.03 ≦  BFw/(Fnow＊Fw) ≦ 1.1
とすると、本発明の効果をより確実のものとすることができる。
【００１５】
条件式（２）は、広角端で第２群と第３群の合成群の焦点距離と広角端の全系焦点距離の比率を規定する。条件式（２）の下限を超えると、第２群と第３群の合成群のパワー（パワー＝焦点距離の逆数）が強くなる。その結果、広角端で長いバックフォーカスを実現することが困難となる。条件式（２）の下限を超えると、さらに、球面収差、非点収差等が発生する。
条件式（２）を、13 ≦  F23w／Fw  ≦ 15
とすると、本発明の効果をより確実のものとすることができる。
【００１６】
条件式（３）は、広角端での第２、３、４群の合成焦点距離と広角端での第１レンズ群と第２レンズ群の間隔の関係を規定する。条件式（２）の下限を超えると、球面収差、コマ収差等が発生する。
条件式（３）を、  1.3  ≦  F234w／(D12w) ≦  1.5
とすると、本発明の効果をより確実のものとすることができる。
【００１７】
条件式（４）は、広角端での第2、3、4群の合成群の焦点距離と第1群と第2群の間隔及び広角端の全系の焦点距離の関係式である。条件式（４）の下限を超えると、広角端の焦点距離の３．７倍以上の長いバックフォーカスを実現することが困難となる。条件式（４）の下限を超えると、さらに、球面収差、コマ収差等が発生する。
条件式（４）を、    0.13  ≦  F234w／(D12w＊Fw)  ≦  0.15
とすると、本発明の効果をより確実のものとすることができる。
【００１８】
条件式（５）は、広角端でと望遠端での第２群と第３群の合成群の焦点距離の比率を規定した。条件式（５）の下限を超えると、小型化と２．２倍以上のズーム変倍を両立することが困難となる。条件式（５）の下限を超えると、さらに、球面収差、非点収差等が発生する。
条件式（５）を、  2.0  ≦  ｜F23w／F23t｜  ≦  3.0
とすると、本発明の効果をより確実のものとすることができる。
【発明の効果】
【００１９】
本発明の広角ズームレンズにおいては、広角端の画角は１０５°を超えることを確保したズームレンズにおいて、２倍以上のズーム比を実現し、広角端の焦点距離の３．７倍以上のバックフォーカスを有する広角レンズを構成することができる。
【図面の簡単な説明】
【００２０】
【図１】第１実施形態の広角ズームレンズの光学構成図である。
【図２】第１実施形態の広角ズームレンズの広角端の球面収差、非点収差、歪曲収差及び倍率色収差を示す収差図である。
【図３】第１実施形態の広角ズームレンズの望遠端の球面収差、非点収差、歪曲収差及び倍率色収差を示す収差図である。
【図４】第２実施形態の広角ズームレンズの光学構成図である。
【図５】第２実施形態の広角ズームレンズの広角端の球面収差、非点収差、歪曲収差及び倍率色収差を示す収差図である。
【図６】第２実施形態の広角ズームレンズの望遠端の球面収差、非点収差、歪曲収差及び倍率色収差を示す収差図である。
【図７】第３実施形態の広角ズームレンズの光学構成図である。
【図８】第３実施形態の広角ズームレンズの広角端の球面収差、非点収差、歪曲収差及び倍率色収差を示す収差図である。
【図９】第３実施形態の広角ズームレンズの望遠端の球面収差、非点収差、歪曲収差及び倍率色収差を示す収差図である。
【図１０】第４実施形態の広角ズームレンズの光学構成図である。
【図１１】第４実施形態の広角ズームレンズの広角端の球面収差、非点収差、歪曲収差及び倍率色収差を示す収差図である。
【図１２】第４実施形態の広角ズームレンズの望遠端の球面収差、非点収差、歪曲収差及び倍率色収差を示す収差図である。
【発明を実施するための最良の形態】
【００２１】
以下に、本発明の広角ズームレンズの実施形態及びその収差状況を説明する。
（第１実施形態）
第１実施形態にかかる広角ズームレンズは、図１に示す構成を有する。各レンズ面の曲率半径R（mm）、各レンズ中心厚及びレンズの空気間隔D（mm）、各レンズのd線における屈折率Nd及びアッベ数ABVの値は、以下のとおりである。
【００２２】
焦点距離：10.29〜15.5952〜23.3915
FNO：3.6〜4.15〜4.6
2ω：111.4〜85.4〜62.6
S            R          D            Nd       ABV
1 ASPH     90.9531     3.0000      1.74690   49.22
2 ASPH     13.3000    17.4155
3        -347.3422     1.1000      1.83944   42.72
4          27.7720     0.2500      1.51700   49.96
5 ASPH     32.9778     0.8225
6          20.1105     4.8835      1.70444   30.05
7          45.1356        D7
絞り        0.0000     1.6767
9         -70.4744     2.4522      1.69416   31.16
10         -14.1708     0.8000      1.88815   40.80
11         -37.7808     0.1500
12          33.1737     3.7557      1.59142   61.25
13         -14.2611     0.8000      1.81184   33.27
14         -28.6675        D14
15         -29.8948     0.8000      1.80831   46.50
16          23.7239     2.5836      1.93325   20.88
17         240.6296        D17
18          40.3874     4.8044      1.49845   81.61
19         -35.6422     0.1500
20          49.4590     0.8000      1.91048   31.31
21          17.3129    11.6398      1.49845   81.61
22         -14.5130     0.8000      1.91048   31.31
23         -20.5428     0.2000
24 ASPH    -34.8009     0.2000      1.51700   49.96
25         -31.4677     1.3000      1.83930   37.34
26         -38.5550
【００２３】
焦点距離：10.2935    15.5952    23.3915
可変間隔
D7             21.974     11.228     4.641
D14             1.000      7.723    14.519
D17            10.742      5.812     0.900
【００２４】
ASPHは、非球面を示し、以下の式（式１）で示される。
（式１）
2010249958.tif 000003
ｚ：非球面深さ
ｙ：高さ
Ｒ：近軸曲率半径
Ｋ、Ａ、Ｂ、Ｃ、Ｄ：非球面係数
【００２５】
非球面係数
面1
K  :  -21.703831
A  :0.137414E-04   B  :-.284986E-07   C  :0.473022E-10   D  :-.418229E-13
E  :0.157785E-16  
面2
K  :   -0.864034
A  :0.743621E-06   B  :0.628016E-07   C  :-.187456E-09   D  :0.315824E-12
E  :0.773230E-15
面5
K  :    1.512115
A  :0.292118E-04   B  :-.127860E-06   C  :0.842074E-09   D  :-.326732E-11
E  :0.634290E-14
面24
K  :   -0.150085
A  :-.101962E-04   B  :0.106224E-07   C  :0.235188E-10   D  :0.177170E-12
【００２６】
第１実施形態の広角ズームレンズの各レンズの焦点距離は、以下のとおりである。
群の焦点距離
第1群：  -15.253
第2群：  32.183
第3群：  -38.7101
第4群：  32.558
Gr1a：  -21.94
Gr1b： -104.94
【００２７】
広角端で
第2，3群合成焦点距離：  148.639
第2，3，4群合成焦点距離：31.483
第1,2,3群合成群焦点距離：-23.355
第1,2,3群合成群と4群の主点位置間間隔：83.074
レンズ全長：94.1
望遠端で
第2、3群の合成焦点距離：56.887
【００２８】
第１実施形態の広角ズームレンズの第１1面の形状は、以下のとおりである。
有効径    法線角度
2010249958.tif 000004
【００２９】
第１実施形態の広角ズームレンズの条件式の値は、以下のとおりである。
条件式（１）  BFw/(Fnow＊Fw) ＝1.05
条件式（２）  F23w／Fw＝14.44
条件式（３）  F234w／(D12w) ＝1.433
条件式（４）  F234ｗ／(D12w＊Fw)＝0.139
条件式（５）  F23w／F23t＝2.613
【００３０】
第１実施形態の広角ズームレンズの広角端の球面収差、非点収差、歪曲収差及び倍率色収差を図２を示す。第１実施形態の広角ズームレンズの望遠端の球面収差、非点収差、歪曲収差及び倍率色収差を図３を示す。
【００３１】
（第２実施形態）
第２実施形態の広角ズームレンズは、図４に示す構成を有する。各レンズ面の曲率半径R（mm）、各レンズ中心厚及びレンズの空気間隔D（mm）、各レンズのd線における、屈折率Nd及びアッベ数ABVは、以下のとおりである。
【００３２】
焦点距離：10.29〜15.60〜23.39
FNO：3.6〜4.15〜4.6
2ω：111.36〜85.71〜62.88
S            R          D         Nd      ABV
1 ASPH     98.2835     3.0000   1.74330  49.22
2 ASPH     13.3000    17.0621
3        -375.8017     1.1000   1.83481  42.72
4          26.2992     0.2500   1.51460  49.96
5 ASPH     31.3128     0.8586
6          19.4744     4.2180   1.69895  30.05
7          44.8215      D7
8           0.0000     1.6811
9         -69.6742     2.4945   1.68893  31.16
10         -13.8558     0.8000   1.88300  40.80
11         -37.5514     0.1500
12          33.6029     3.7863   1.58913  61.25
13         -14.1772     0.8000   1.80610  33.27
14         -28.4616      D14
15         -31.0253     0.8000   1.80420  46.50
16          23.9527     2.5703   1.92286  20.88
17         237.9034      D17
18          41.0664     4.5125   1.49700  81.61
19         -35.8367     0.1500
20          49.9837     0.9000   1.90366  31.31
21          17.1665    11.7603   1.49700  81.61
22         -14.5000     1.1000   1.90366  31.31
23         -21.0822     0.2000
24 ASPH    -50.4122     0.2000   1.51460  49.96
25         -44.1195     1.8000   1.83400  37.34
26         -53.8351
【００３３】
焦点距離：10.29      15.60      23.40
可変間隔
D7             22.0922     11.2672   4.7266
D14             0.9588      7.5245   14.2504
D17            10.8553      5.8392    0.800
【００３４】
非球面係数
面1
K  :  -30.868200
A  :0.147706E-04   B  :-.260370E-07   C  :0.377473E-10   D  :-.300023E-13
E  :0.107463E-16
面2
K  :   -1.240297
A  :0.207897E-04   B  :0.298769E-07   C  :0.267684E-09   D  :-.163367E-11
E  :0.372598E-14
面5
K  :    2.187192
A  :0.313924E-04   B  :-.202309E-06   C  :0.158321E-08   D  :-.733956E-11
E  :0.139279E-13
面24
K  :   -0.780042
A  :-.942956E-05   B  :0.141825E-07   C  :0.244817E-10   D  :0.194500E-12
【００３５】
第２実施形態の広角ズームレンズの各レンズの焦点距離は、以下のとおりである。
群の焦点距離
第1群：  -15.085
第2群：  32.5574
第3群：  -40.0929
第4群：  33.0051
Gr1a：  -21.0097
Gr1b： -102.427
【００３６】
広角端で
第2，3群合成焦点距離：  140.206
第2，3，4群合成焦点距離：31.626
第1,2,3群合成群焦点距離：-24.033
第1,2,3群合成群と4群の主点位置間間隔：86.032
レンズ全長：94.1
望遠端で
第2、3群の合成焦点距離：57.754
【００３７】
第２実施形態の広角ズームレンズの第１1面の形状は、以下のとおりである。
有効径      法線角度
2010249958.tif 000005
【００３８】
第２実施形態の広角ズームレンズの条件式の値は、以下のとおりである。
条件式（１）  BFw/(Fnow＊Fw) ＝1.05
条件式（２）  F23w／Fw＝13.621
条件式（３）  F234w／(D12w) ＝1.432
条件式（４）  F234ｗ／(D12w＊Fw)＝0.139
条件式（５）  F23w／F23t＝2.428
【００３９】
第２実施形態の広角ズームレンズの広角端の球面収差、非点収差、歪曲収差及び倍率色収差を図５を示す。第２実施形態の広角ズームレンズの望遠端の球面収差、非点収差、歪曲収差及び倍率色収差を図６を示す。
【００４０】
（第３実施形態）
第１実施形態にかかる広角ズームレンズは、図７に示す構成を有する。各レンズ面の曲率半径R（mm）、各レンズ中心厚及びレンズの空気間隔D（mm）、各レンズのd線における屈折率Nd及びアッベ数ABVの値は、以下のとおりである。
【００４１】
焦点距離：10.29〜15.60〜23.39
FNO：3.6〜4.15〜4.6
2ω：111.38〜85.4〜62.63
S            R          D           Nd       ABV
1 ASPH     91.2892     3.0000     1.74330   49.22
2 ASPH     13.3000    17.1746
3        -550.1946     1.1000     1.83481   42.72
4          26.8414     0.2500     1.51460   49.96
5 ASPH     31.7796     0.8380
6          19.6685     4.8948     1.69895   30.05
7          43.3886      D7
8           0.0000     1.6759
9         -70.7449     2.4534     1.68893   31.16
10         -14.1775     0.8000     1.88300   40.80
11         -37.9248     0.1500
12          33.1085     3.7574     1.58913   61.25
13         -14.2673     0.7937     1.80610   33.27
14         -28.7457      D14
15         -29.9856     0.8000     1.80420   46.50
16          23.8293     2.5887     1.92286   20.88
17         241.4124      D17
18          40.5319     4.7504     1.49700   81.61
19         -35.4136     0.1500
20          49.8255     0.9000     1.90366   31.31
21          17.3000    11.4746     1.49700   81.61
22         -14.5000     0.9000     1.90366   31.31
23         -20.5448     0.2000
24 ASPH    -34.3632     0.2000     1.51460  49.96
25         -31.0708     1.3000     1.83400  37.34
26         -37.8865
【００４２】
焦点距離：10.29      15.60      23.40
可変間隔
D7            22.252     11.5339    4.8871
D14            1.000      7.8478   14.5915
D17           10.6954     5.7013    0.800
【００４３】
非球面係数
面1
K  :  -23.358778
A  :0.138306E-04   B  :-.284728E-07   C  :0.473046E-10   D  :-.418342E-13
E  :0.157340E-16
面2
K  :   -0.865462
A  :0.617175E-06   B  :0.624054E-07   C  :-.184300E-09   D  :0.328276E-12
E  :0.773908E-15
面5
K  :    1.536049
A  :0.293177E-04   B  :-.126814E-06   C  :0.844851E-09   D  :-.324948E-11
E  :0.634290E-14
面24
K  :   -0.133768   KC :     100
A  :-.102523E-04   B  :0.105589E-07   C  :0.225709E-10   D  :0.159981E-12
【００４４】
第３実施形態の広角ズームレンズの各レンズの焦点距離は、以下のとおりである。
群の焦点距離
第1群：  -15.297
第2群：  32.268
第3群：  -38.818
第4群：  32.560
Gr1a：  -21.294
Gr1b： -106.239
【００４５】
広角端で
第2，3群合成焦点距離：  148.971
第2，3，4群合成焦点距離：31.486
第1,2,3群合成群焦点距離：-23.429
第1,2,3群合成群と4群の主点位置間間隔：83.241
レンズ全長：94.0988
望遠端で
第2、3群の合成焦点距離：56.936
【００４６】
第３実施形態の広角ズームレンズの第１1面の形状は、以下のとおりである。
有効径  法線角度
2010249958.tif 000006
【００４７】
第３実施形態の広角ズームレンズの条件式の値は、以下のとおりである。
条件式（１）  BFw/(Fnow＊Fw) ＝1.05
条件式（２）  F23w／Fw＝14.472
条件式（３）  F234w／(D12w) ＝1.415
条件式（４）  F234ｗ／(D12w＊Fw)＝0.137
条件式（５）  F23w／F23t＝2.616
【００４８】
第３実施形態の広角ズームレンズの広角端の球面収差、非点収差、歪曲収差及び倍率色収差を図８を示す。第１実施形態の広角ズームレンズの望遠端の球面収差、非点収差、歪曲収差及び倍率色収差を図９を示す。
【００４９】
（第４実施形態）
第４実施形態にかかる広角ズームレンズは、図１０に示す構成を有する。各レンズ面の曲率半径R（mm）、各レンズ中心厚及びレンズの空気間隔D（mm）、各レンズのd線における屈折率Nd及びアッベ数ABVの値は、以下のとおりである。
【００５０】
焦点距離：10.295〜15.598〜23.393
FNO：3.6〜4.15〜4.6
2ω：111.42〜85.5〜62.84
S            R          D              Nd       ABV
1 ASPH     72.8710     3.0000        1.74330   49.22
2 ASPH     12.9000    16.2015
3         770.1839     1.1000        1.88300   40.80
4          26.0522     0.3000        1.53610   41.21
5 ASPH     30.6791     1.1966
6          20.4544     4.7353        1.69895   30.05
7          43.9685      D7
8           0.0000     1.5074
9         -68.4574     2.5124        1.68893   31.16
10         -12.6110     1.7924        1.88300   40.80
11         -37.3079     0.1500
12          34.8661     3.7882        1.58913   61.25
13         -13.8945     0.8000        1.80610   33.27
14         -26.8129      D14
15         -30.4122     0.8000        1.77250   49.62
16          20.1071     2.8524        1.84666   23.78
17         292.4999      D17
18          45.2832     4.3580        1.49700   81.61
19         -36.2850     0.1500
20          48.9769     0.9000        1.90366   31.31
21          17.4000    12.2843        1.49700   81.61
22         -14.3000     1.1000        1.90366   31.31
23         -20.2760     0.2000
24 ASPH    -37.3436     0.3500        1.51460   49.96
25         -32.4182     1.5000        1.58144   40.89
26         -44.7821
【００５１】
焦点距離：10.295      15.598      23.393
可変間隔
D7            21.1006     10.4692    3.7599
D14            0.8270      7.7520   14.2056
D17           11.0939      5.8381    0.800
【００５２】
非球面係数
面1
K  :   -4.855874
A  :0.147578E-04   B  :-.354016E-07   C  :0.454072E-10   D  :-.116025E-13
E  :0.227158E-16   F  :-.308920E-19   G  :-.677424E-22   H  :-.335578E-25
J  :0.137873E-27
面2
K  :   -1.110553
A  :0.277891E-04   B  :0.404370E-07   C  :0.612679E-10   D  :0.362235E-12
E  :-.110342E-13   F  :0.528104E-17   G  :0.320816E-18   H  :0.145731E-21
J  :-.347259E-23
面5
K  :    0.335030
A  :0.226449E-04   B  :-.966072E-07   C  :0.176373E-09   D  :0.114032E-12
E  :0.138279E-14
面24
K  :   -0.608663
A  :-.983362E-05   B  :0.214587E-07   C  :-.114789E-09   D  :0.130510E-11
E  :-.267583E-14
【００５３】
第４実施形態の広角ズームレンズの各レンズの焦点距離は、以下のとおりである。
群の焦点距離
第1群：  -15.199
第2群：  32.3369
第3群：  -40.4942
第4群：  33.2409
Gr1a：  -21.5478
Gr1b：  -95.6574
【００５４】
広角端で
第2，3群合成焦点距離：  143.052
第2，3，4群合成焦点距離：31.312
第1,2,3群合成群焦点距離：-24.561
第1,2,3群合成群と4群の主点位置間間隔：87.987
レンズ全長：94.6
望遠端で
第2、3群の合成焦点距離：58.115
【００５５】
第４実施形態の広角ズームレンズの第１1面の形状は、以下のとおりである。
有効径    法線角度
2010249958.tif 000007
【００５６】
第４実施形態の広角ズームレンズの条件式の値は、以下のとおりである。
条件式（１）  BFw/(Fnow＊Fw) ＝1.05
条件式（２）  F23w／Fw＝13.895
条件式（３）  F234w／(D12w) ＝1.484
条件式（４）  F234ｗ／(D12w＊Fw)＝0.144
条件式（５）  F3w／F23t＝2.462
【００５７】
第４実施形態の広角ズームレンズの広角端の球面収差、非点収差、歪曲収差及び倍率色収差を図１１を示す。第１実施形態の広角ズームレンズの望遠端の球面収差、非点収差、歪曲収差及び倍率色収差を図１２を示す。
【００５８】
特許文献１の第１実施形態の条件式の値は以下のとおりである。
条件式（１）  BFw/(Fnow＊Fw) ＝0.865
条件式（２）  F23w／Fw＝6.528
条件式（３）  F234w／(D12w) ＝1.135
条件式（４）  F234ｗ／(D12w＊Fw)＝0.110
条件式（５）  F23w／F23t＝1.392
【００５９】
特許文献１の第２実施形態の条件式の値は以下のとおりである。
条件式（１）  BFw/(Fnow＊Fw) ＝1.013
条件式（２）  F23w／Fw＝7.651
条件式（３）  F234w／(D12w) ＝1.316
条件式（４）  F234ｗ／(D12w＊Fw)＝0.128
条件式（５）  F23w／F23t＝1.340
【００６０】
特許文献１の第３実施形態の条件式の値は以下のとおりである。
条件式（１）  BFw/(Fnow＊Fw) ＝0.867
条件式（２）  F23w／Fw＝9.655
条件式（３）  F234w／(D12w) ＝1.231
条件式（４）  F234ｗ／(D12w＊Fw)＝0.120
条件式（５）  F23w／F23t＝1.284
【００６１】
特許文献１の第４実施形態の条件式の値は以下のとおりである。
条件式（１）  BFw/(Fnow＊Fw) ＝1.013
条件式（２）  F23w／Fw＝9.074
条件式（３）  F234w／(D12w) ＝1.189
条件式（４）  F234ｗ／(D12w＊Fw)＝0.115
条件式（５）  F23w／F23t＝1.327
【００６２】
特許文献１の第５実施形態の条件式の値は以下のとおりである。
条件式（１）  BFw/(Fnow＊Fw) ＝0.978
条件式（２）  F23w／Fw＝9.641
条件式（３）  F234w／(D12w) ＝1.227
条件式（４）  F234ｗ／(D12w＊Fw)＝0.119
条件式（５）  F23w／F23t＝1.457
【００６３】
特許文献１の第６実施形態の条件式の値は以下のとおりである。
条件式（１）  BFw/(Fnow＊Fw) ＝1.015
条件式（２）  F23w／Fw＝9.764
条件式（３）  F234w／(D12w) ＝1.190
条件式（４）  F234ｗ／(D12w＊Fw)＝0.116
条件式（５）  F23w／F23t＝1.427
【符号の説明】
【００６４】
Ｇｒ１Ａ       第１レンズ群の前群
Ｇｒ１Ｂ       第１レンズ群の後群
【図１】
2010249958.tif 000008
【図２】
2010249958.tif 000009
【図３】
2010249958.tif 000010
【図４】
2010249958.tif 000011
【図５】
2010249958.tif 000012
【図６】
2010249958.tif 000013
【図７】
2010249958.tif 000014
【図８】
2010249958.tif 000015
【図９】
2010249958.tif 000016
【図１０】
2010249958.tif 000017
【図１１】
2010249958.tif 000018
【図１２】
2010249958.tif 000019